(57)【要約】【課題】  電圧を測定して、装置に生じた地絡故障を検出することが可能な電圧測定装置等を提供する。【解決手段】  電圧想定装置１１において、正極端子１５と負極端子１７は、電気的経路により接続する。アース端子１９は、切替部２１を経由して、正極端子１５と負極端子１７を接続する電気的経路上の接地点に接続する。正極端子１５と負極端子１７は、それぞれ、太陽電池ストリング１３の正極及び負極に接続する。測定部２５は、接地点が接地された状態で、接地点と電気的経路上の計測点との間の接地状態電圧を測定する。また、測定部２５は、接地点が接地していない状態で、接地点と計測点との間の非接地状態電圧を測定する。地絡故障検出部２７は、接地状態電圧と非接地状態電圧を利用して、太陽電池ストリング１３において地絡故障が生じているか否かを判定する。【選択図】  図１
2015203564.tif 000002
【特許請求の範囲】
【請求項１】
正極端子と、前記正極端子と電気的経路により接続する負極端子を備え、前記電気的経路上の電圧を測定する電圧測定装置であって、
前記電気的経路上の接地点は、接地可能であり、
前記正極端子及び前記負極端子が対象装置に接続した状態で、接地している状態の前記接地点と前記電気的経路上の計測点との間の電圧である接地状態電圧を測定する測定部を備える電圧測定装置。
【請求項２】
前記測定部は、前記正極端子及び前記負極端子が前記対象装置に接続した状態で、前記接地状態電圧に加えて、接地していない状態の前記接地点と前記電気的経路上の計測点との間の電圧である非接地状態電圧を測定するものであり、
少なくとも前記接地状態電圧と前記非接地状態電圧が異なる場合に前記対象装置が地絡故障していると判定する地絡故障判定部を備える請求項１記載の電圧測定装置。
【請求項３】
前記電気的経路において、前記接地点と前記計測点との間には第１抵抗が存在し、前記接地点を基準に前記計測点がない側に第２抵抗が存在する、請求項１又は２記載の電圧測定装置。
【請求項４】
前記計測点は、前記正極端子又は前記負極端子である、請求項１から３のいずれかに記載の電圧測定装置。
【請求項５】
前記計測点は、前記電気的経路上で、前記接地点とは別に接地可能な補助接地点であり、
前記測定部は、前記正極端子及び前記負極端子が前記計測対象装置に接続した状態で、
接地している状態の前記接地点と接地していない状態の前記補助接地点との間の電圧である接地状態電圧、並びに、
接地していない状態の前記接地点と接地していない状態の前記補助接地点との間の電圧である第１非接地状態電圧、及び／又は、
接地していない状態の前記接地点と接地している状態の前記補助接地点との間の電圧である第２非接地状態電圧を測定するものであり、
前記電圧測定部が測定した複数の電圧が異なる場合に前記対象装置が地絡故障していると判定する地絡故障判定部を備える、請求項１から３のいずれかに記載の電圧測定装置。
【請求項６】
前記対象装置は、複数の発電部を接続する発電装置であり、
前記測定部は、前記正極端子及び前記負極端子がそれぞれ発電中の前記発電装置の正極及び負極に接続した状態で前記接地状態電圧及び前記第２非接地状態電圧を測定し、
前記地絡故障判定部は、前記電圧測定部が測定した複数の電圧が異なる場合に、前記接地状態電圧及び前記第２非接地状態電圧を用いて前記発電装置における地絡故障箇所を推定する、請求項５記載の電圧測定装置。
【請求項７】
電圧測定装置を用いて電圧を測定する電圧測定方法であって、
前記電圧測定装置は、その正極端子及び負極端子が電気的経路により接続し、前記電気的経路上の接地点が接地可能であり、
前記電圧測定装置が備える測定部が、前記電圧測定装置の前記正極端子及び前記負極端子が対象装置に接続した状態で、接地している状態の前記接地点と前記電気的経路上の計測点との間の電圧である接地状態電圧を測定する測定ステップを含む電圧測定方法。
【発明の詳細な説明】
【技術分野】
【０００１】
本願発明は、電圧測定装置及び電圧測定方法に関し、特に、正極端子と、前記正極端子と電気的経路により接続する負極端子を備え、前記電気的経路上の電圧を測定する電圧測定装置等に関する。
【背景技術】
【０００２】
発電装置などの故障を検出するために、電圧計を使用して発電装置などの電圧値を計測することが行われている（特許文献１など参照）。
【先行技術文献】
【特許文献】
【０００３】
【特許文献１】特開２０１２−１００３９５号公報
【発明の概要】
【発明が解決しようとする課題】
【０００４】
近年、発電装置などの装置で、地絡故障が問題となっている。地絡故障は、電気回路から大地に電流が漏れる故障である。例えば、現在の太陽電池ストリングの多くは、対地抵抗が数ＭΩである。地絡故障が生じると、対地抵抗は数百ｋΩ程度になる。しかしながら、電圧計は、単に、装置における電圧値を測定するためのものである。そのため、従来の電圧計を用いても、地絡故障を発見することができなかった。
【０００５】
そこで、本願発明は、電圧を測定して、装置に生じた地絡故障を検出することが可能な電圧測定装置等を提供することを目的とする。
【課題を解決するための手段】
【０００６】
本願発明の第１の観点は、正極端子と、前記正極端子と電気的経路により接続する負極端子を備え、前記電気的経路上の電圧を測定する電圧測定装置であって、前記電気的経路上の接地点は、接地可能であり、前記正極端子及び前記負極端子が対象装置に接続した状態で、接地している状態の前記接地点と前記電気的経路上の計測点との間の電圧である接地状態電圧を測定する測定部を備えるものである。
【０００７】
本願発明の第２の観点は、第１の観点の電圧測定装置であって、前記測定部は、前記正極端子及び前記負極端子が前記対象装置に接続した状態で、前記接地状態電圧に加えて、接地していない状態の前記接地点と前記電気的経路上の計測点との間の電圧である非接地状態電圧を測定するものであり、少なくとも前記接地状態電圧と前記非接地状態電圧が異なる場合に前記発電装置が地絡故障していると判定する地絡故障判定部を備えるものである。
【０００８】
本願発明の第３の観点は、第１又は第２の観点の電圧測定装置であって、前記電気的経路において、前記接地点と前記計測点との間には第１抵抗が存在し、前記接地点を基準に前記計測点がない側に第２抵抗が存在するものである。
【０００９】
本願発明の第４の観点は、第１から第３のいずれかの観点の電圧測定装置であって、前記計測点は、前記正極端子又は前記負極端子である。
【００１０】
本願発明の第５の観点は、第１から第３のいずれかの観点の電圧測定装置であって、前記計測点は、前記電気的経路上で、前記接地点とは別に接地可能な補助接地点であり、前記測定部は、前記正極端子及び前記負極端子が前記計測対象装置に接続した状態で、接地している状態の前記接地点と接地していない状態の前記補助接地点との間の電圧である接地状態電圧、並びに、接地していない状態の前記接地点と接地していない状態の前記補助接地点との間の電圧である第１非接地状態電圧、及び／又は、接地していない状態の前記接地点と接地している状態の前記補助接地点との間の電圧である第２非接地状態電圧を測定するものであり、前記電圧測定部が測定した複数の電圧が異なる場合に前記発電装置が地絡故障していると判定する地絡故障判定部を備えるものである。
【００１１】
本願発明の第６の観点は、第５の観点の電圧測定装置であって、前記測定部は、前記正極端子及び前記負極端子がそれぞれ発電中の前記発電装置の正極及び負極に接続した状態で前記接地状態電圧及び前記第２非接地状態電圧を測定し、前記地絡故障判定部は、前記電圧測定部が測定した複数の電圧が異なる場合に、前記接地状態電圧及び前記第２非接地状態電圧を用いて前記発電装置における地絡故障箇所を推定するものである。
【００１２】
本願発明の第７の観点は、電圧測定装置を用いて電圧を測定する電圧測定方法であって、前記電圧測定装置は、その正極端子及び負極端子が電気的経路により接続し、前記電気的経路上の接地点が接地可能であり、前記電圧測定装置が備える測定部が、前記電圧測定装置の前記正極端子及び前記負極端子が対象装置に接続した状態で、接地している状態の前記接地点と前記電気的経路上の計測点との間の電圧である接地状態電圧を測定する測定ステップを含むものである。
【００１３】
なお、本願発明を、地絡故障判定部として機能させるためのプログラムや、このプログラムを定常的に記録したコンピュータ読み取り可能な記録媒体として捉えてもよい。
【発明の効果】
【００１４】
本願発明の各観点によれば、電圧測定装置において、正極端子と負極端子を接続する電気的経路の接地点を接地させて、接地点と計測点との間の電圧を測定する。対象装置において地絡故障が生じていなければ、接地点での接地のみとなり測定される接地状態電圧は一定である。それに対し、対象装置において地絡故障が生じていれば、２点以上で接地されることとなる。そのため、接地状態電圧を用いて、地絡故障が生じていると判断することができる。
【００１５】
さらに、本願発明の第２の観点によれば、接地点が接地している状態での接地状態電圧と接地していない状態での非接地状態電圧を比較し、少なくとも、これらが異なるならば、地絡故障が生じていると判断することができる。
【００１６】
さらに、本願発明の第３の観点によれば、第１抵抗及び第２抵抗により、容易に電圧を測定することができる。また、地絡故障が生じたとしても、接地状態電圧と非接地状態電圧が同じ場合も可能性としてはあるが、接地状態電圧を、第１抵抗及び第２抵抗を異にして複数回計測しても同じであれば地絡故障が生じていないと判断でき、異なる場合があれば地絡故障が生じていると判断することもできる。
【００１７】
さらに、本願発明の第４の観点によれば、計測点を正極端子又は負極端子とすることにより、電圧測定装置の構成を単純にすることができる。
【００１８】
さらに、本願発明の第５の観点によれば、接地点と補助接地点との間で測定される電圧を利用することにより、地絡故障を確実に判定することができる。さらに、本願発明の第６の観点によれば、地絡故障の有無に加えて、地絡故障の箇所の推定をすることができる。
【図面の簡単な説明】
【００１９】
【図１】本願発明の実施の形態に係る太陽光発電システムの構成の一例を示すブロック図である。
【図２】図１の電圧測定部１１の動作の一例を示すフロー図である。
【図３】図１の太陽電池ストリング１３、架台５及び電圧測定装置１１の一例において、（ａ）切替部２１がオフの状態と、（ｂ）切替部２１がオンの状態を示す図である。
【図４】図３の回路において、地絡故障のない状態を示す図である。
【図５】図３の回路において、太陽電池モジュール４１1と４１2の間で地絡故障が生じた状態を示す図である。
【図６】図３の回路において、太陽電池モジュール４１3と４１4の間で地絡故障が生じた状態を示す図である。
【図７】図３の回路において、太陽電池モジュール４１2と４１3の間で地絡故障が生じた状態を示す図である。
【図８】図１の太陽電池ストリング１３、架台５及び電圧測定装置１１の他の一例において、地絡故障がない場合の（ａ）切替部２１がオフの状態と、（ｂ）切替部２１がオンの状態を示す図である。
【図９】図８の回路において、太陽電池モジュール４１1と４１2の間で地絡故障が生じた状態を示す図である。
【図１０】図８の回路において、太陽電池モジュール４１3と４１4の間で地絡故障が生じた状態を示す図である。
【図１１】図８の回路において、太陽電池モジュール４１2と４１3の間で地絡故障が生じた状態を示す図である。
【発明を実施するための形態】
【００２０】
以下、本願発明の実施の形態について説明する。なお、本願発明の実施の形態は、下記の実施例に限定されるものではない。
【実施例】
【００２１】
図１は、本願発明の実施の形態に係る太陽光発電システムの構成の一例を示すブロック図である。太陽光発電システム１は、太陽電池アレイ３と、架台５と、ＰＣＳ７と、電圧測定装置１１（本願請求項の「電圧測定装置」の一例）を備える。
【００２２】
太陽電池アレイ３は、太陽電池ストリング１３（本願請求項の「対象装置」の一例）を備える。太陽電池ストリング１３は、複数の太陽電池モジュール１４1，…，１４Nが直列に接続して構成されている。各太陽電池モジュール１４は、照射される太陽光を利用して発電する。各太陽電池モジュール１４は、接地されている架台５と接続する。なお、太陽電池アレイ３は、複数の太陽電池ストリングを含んでもよい。
【００２３】
ＰＣＳ７は、パワーコンディショニングシステムであり、接続箱を経由して太陽電池アレイ３と接続し、太陽電池モジュール１４が発電した電力について、負荷に供給したり、系統に売電したりするために、例えば直流を交流にするなどの処理を行う。
【００２４】
電圧測定装置１１は、太陽電池アレイ３に接続する。電圧測定装置１１は、正極端子１５と、負極端子１７と、アース端子１９を備える。正極端子１５は、太陽電池ストリング１３の正極に接続する。負極端子１７は、太陽電池ストリング１３の負極に接続する。アース端子１９は、接地されている。電圧測定装置１１内において、正極端子１５と負極端子１７は、電気的経路により接続されている。
【００２５】
電圧測定装置１１は、切替部２１と、制御部２３と、測定部２５（本願請求項の「測定部」の一例）と、地絡故障検出部２７（本願請求項の「地絡故障検出部」の一例）を備える。
【００２６】
切替部２１は、例えばスイッチである。アース端子１９は、切替部２１を経由して、正極端子１５と負極端子１７を接続する電気的経路に接続する。アース端子１９が、正極端子１５と負極端子１７を接続する電気的経路に接続する点を、接地点という。切替部２１がオンであれば、接地点は、アース端子１９を経由して接地される。切替部２１がオフであれば、接地点は接地されない。具体的な回路構成の例については、後に説明する。
【００２７】
制御部２３は、例えば切替部２１のオンオフ制御など、電圧測定装置１１の動作を制御する。
【００２８】
測定部２５は、正極端子１５と負極端子１７を接続する電気的経路上の２点間の電圧を測定する。
【００２９】
地絡故障検出部２７は、測定部２５が測定した電圧を用いて、太陽電池ストリング１３が接地故障しているか否かを判断する。
【００３０】
図２を参照して、図１の電圧測定装置１１の動作の一例を説明する。図２は、図１の電圧測定装置１１の動作の一例を示すフロー図である。
【００３１】
測定部２５は、太陽電池アレイ３が発電中であるか否かを判断する（ステップＳＴ１）。発電中であるか否かは、例えば、現在時刻によって太陽光が照射している時間帯か否かを判断してもよく、また、太陽電池ストリングの出力電圧を測定して、太陽電池ストリングが発電中であるか否かによって判断してもよい。複数の太陽電池ストリングがある場合には、その一つが発電中か否かを判断すればよい。発電していない場合には、発電時まで待つ。発電時になれば、ステップＳＴ２に進む。
【００３２】
ステップＳＴ２において、制御部２３は、切替部２１をオフにし、接地点が接地されていない状態にする。測定部２５は、接地されていない状態の接地点と、正極端子１５と負極端子１７を接続する電気的経路上の計測点との間の電圧（「非接地状態電圧」という。）を測定する（ステップＳＴ３）。続いて、制御部２３は、切替部２１をオンにし、接地点が接地されている状態にする（ステップＳＴ４）。測定部２５は、接地されている状態の接地点と、計測点との間の電圧（「接地状態電圧」という。）を測定する（ステップＳＴ５）。
【００３３】
地絡故障検出部２７は、非接地状態電圧と接地状態電圧を用いて、地絡故障の有無を判断する（ステップＳＴ６）。地絡故障が検出されれば、地絡故障が生じていることを通知する（ステップＳＴ７）。地絡故障が検出されなければ、検出されなかったことを通知する（ステップＳＴ８）。これらは、電圧測定装置１１の操作パネルなどに表示してもよく、遠隔地にあるサーバや端末などの情報処理装置に通知してもよい。また、今後、例えば、太陽電池アレイに含まれる太陽電池ストリングが、複数の所有者等によって所有及び／又は管理されることも考えられる。このような場合、電圧測定装置１１は、各所有者等に対して、所有及び／又は管理する太陽電池ストリングについて通知するようにしてもよい。
【００３４】
なお、接地状態線間電圧と非接地状態線間電圧は、順序に関係なく測定できればよく、逆の順番で測定してもよい。
【００３５】
また、発明者らが提案した故障検出手法（例えば、特開２０１１−０３５０００号公報など参照）でも、地絡故障が生じていると、太陽電池ストリング１３に入力した診断信号の反射波が、正常時とは異なる場合がある。そのため、反射波の波形を考慮して判断するようにしてもよい。また、地絡故障は、通常、１つの太陽発電ストリングで生じる。複数の太陽電池ストリングは、通常、同じような環境下にあり、出力電圧は同様である。そのため、太陽電池ストリングが複数存在する場合には、各太陽電池ストリングの測定結果を相互に比較することにより、地絡故障が発生したか否かを精度よく判断することができる。特に、劣化等が生じて仕様とは異なる状態となった場合に、このような相互比較による地絡故障検出は有効なものとなる。
【００３６】
太陽電池ストリングで生じる地絡故障について、図３から図１１を用いて具体的に説明する。図３〜７は、図１の太陽電池ストリング１３、架台５及び電圧測定装置１１の一例の概要を示す図である。図８〜１１は、図１の太陽電池ストリング１３、架台５及び電圧測定装置１１の他の一例の概要を示す図である。
【００３７】
図３は、図１の太陽電池ストリング１３、架台５及び電圧測定装置１１の一例において、（ａ）切替部２１がオフの状態と、（ｂ）切替部２１がオンの状態を示す。
【００３８】
太陽電池ストリング１３では、簡単のために、同じ構成の４つの太陽電池モジュール１４1、１４2、１４3及び１４4が、順に直列に接続している。なお、添え字は、省略することもある。各太陽電池モジュール１４は、架台５に接続し、接地されている。太陽電池モジュール１４4の正極には、正極端子１５が接続する。太陽電池１４1の負極には、負極端子１７が接続する。
【００３９】
電圧測定装置１１内で、正極端子１５と負極端子１７は、第１抵抗３１及び第２抵抗３３を経由して、電気的に接続する。第１抵抗３１と第２抵抗３３の間に、接地点３５がある。接地点３５よりも正極端子側に第１抵抗３１があり、負極端子側に第２抵抗３３がある。簡単のために、第１抵抗３１と第２抵抗３３の抵抗値は、同じとする。アース端子１９は、架台５に接続し、接地されている。アース端子１９は、切替部２１を経由して接地点３５に接続する。測定部２５は、第２抵抗３３の電圧を測定する。すなわち、接地点３５と負極端子１７との間の電圧を測定する。
【００４０】
図３（ａ）の切替部２１がオフの状態では、接地点３５は接地されていない状態となる。（ｂ）の切替部２１がオンの状態では、接地点３５は接地されている状態となる。（ａ）と（ｂ）のそれぞれで計測される電圧値は、Ｖ1及びＶ2である。
【００４１】
図４は、地絡故障が生じていない場合に、（ａ）切替部２１がオフのとき、及び、（ｂ）切替部２１がオンのときを示す。この場合、各太陽電池モジュール１４で発生した電力の電流は、（ａ）も（ｂ）も同様に、正極端子１５から供給され、接地点３５を経由して負極端子１７を経て太陽電池ストリング１３に戻る。そのため、（ａ）で測定される第２抵抗３３の電圧Ｖ3と、（ｂ）で測定される第２抵抗３３の電圧Ｖ4とは、同じになる。
【００４２】
図５は、太陽電池モジュール１４1と１４2の間で地絡故障が生じた場合に、（ａ）切替部２１がオフのとき、及び、（ｂ）切替部２１がオンのときを示す。（ａ）の場合には、各太陽電池モジュール１４で発生した電力の電流は、正極端子１５から供給され、接地点３５を経由して負極端子１７を経て太陽電池ストリング１３に戻る。そのため、（ａ）で測定される第２抵抗３３の電圧Ｖ5は、図４のＶ3及びＶ4と同じになる。他方、（ｂ）の場合には、地絡故障によりループが生じ、太陽電池モジュール１４1で生じた電力による電流が、アース端子１９及び切替部２１を経て接地点３５に到達し、負極端子１７を経て太陽電池ストリング１３に戻る。そのため、（ｂ）で測定される第２抵抗３３の電圧Ｖ6は、Ｖ5よりも小さい値となる。
【００４３】
図６は、太陽電池モジュール１４3と１４4の間で地絡故障が生じた場合に、（ａ）切替部２１がオフのとき、及び、（ｂ）切替部２１がオンのときを示す。（ａ）の場合には、各太陽電池モジュール１４で発生した電力の電流は、正極端子１５から供給され、接地点３５を経由して負極端子１７を経て太陽電池ストリング１３に戻る。そのため、（ａ）で測定される第２抵抗３３の電圧Ｖ7は、図４のＶ3及びＶ4並びに図５のＶ5と同じになる。他方、（ｂ）の場合には、地絡故障によりループが生じ、太陽電池モジュール１４1、１４2及び１４3で生じた電力による電流が、アース端子１９及び切替部２１を経て接地点３５に到達し、負極端子１７を経て太陽電池ストリング１３に戻る。そのため、（ｂ）で測定される第２抵抗３３の電圧Ｖ8は、Ｖ7よりも大きい値となる。
【００４４】
よって、図５及び図６より、図１の地絡故障検出部２７は、切替部２１がオンの状態とオフの状態で、第２抵抗３３で測定される電圧が異なるならば、地絡故障が生じていると判断することができる。
【００４５】
図７は、太陽電池モジュール１４2と１４3の間で地絡故障が生じた場合に、（ａ）切替部２１がオフのとき、及び、（ｂ）切替部２１がオンのときを示す。（ａ）の場合には、各太陽電池モジュール１４で発生した電力の電流は、正極端子１５から供給され、接地点３５を経由して負極端子１７を経て太陽電池ストリング１３に戻る。そのため、（ａ）で測定される第２抵抗３３の電圧Ｖ9は、図４のＶ3及びＶ4、図５のＶ5並びに図６のＶ7と同じになる。他方、（ｂ）の場合には、地絡故障によりループが生じ、太陽電池モジュール１４1及び１４2で生じた電力による電流が、アース端子１９及び切替部２１を経て接地点３５に到達し、負極端子１７を経て太陽電池ストリング１３に戻るが、各太陽電池モジュール１４が同じ電力量を発電し、かつ、第１抵抗３１及び第２抵抗３３が同じ抵抗値であるという仮定の下では、第２抵抗３３で測定される電圧Ｖ10は、Ｖ9と同じになる。このように、第２抵抗３３の計測値が同じであっても、地絡故障が生じている可能性がある。
【００４６】
例えば、第１抵抗３１及び／又は第２抵抗３３を可変抵抗とし、切替部２１のオンオフで同じ電圧値であれば、第１抵抗３１と第２抵抗３３の抵抗値の比を変更し、依然として同じ電圧値が測定されるのであれば、地絡故障が生じていると判定することにより、図７のような場合についても地絡故障を検出することができる。
【００４７】
図８は、図１の太陽電池ストリング１３、架台５及び電圧測定装置１１の他の一例において、（ａ）切替部２１及び４７がオフの状態、（ｂ）切替部２１がオンで切替部４７がオフの状態、及び、（ｃ）切替部２１がオフで切替部４７がオンの状態を示す。
【００４８】
太陽電池ストリング１３では、簡単のために、同じ構成の４つの太陽電池モジュール１４1、１４2、１４3及び１４4が、順に直列に接続している。各太陽電池モジュール１４は、架台５に接続し、接地されている。太陽電池モジュール１４4の正極には、正極端子１５が接続する。太陽電池１４1の負極には、負極端子１７が接続する。
【００４９】
電圧測定装置１１内で、正極端子１５と負極端子１７は、第３抵抗３７、第４抵抗３９及び第５抵抗４１を経由して、電気的に接続する。第３抵抗３７と第４抵抗３９の間に、接地点４３がある。第４抵抗３９と第５抵抗４１の間に、補助接地点４５がある。接地点４３よりも正極端子側に第３抵抗３７があり、接地点４３と補助接地点４５の間に第４抵抗３９があり、補助接地点４５よりも負極側に第５抵抗４１がある。以下では、簡単のために、少なくとも第３抵抗３７と第５抵抗４１は、同じ抵抗値であるとする。アース端子１９は、架台５に接続し、接地されている。アース端子１９は、切替部２１を経由して接地点４３に接続する。また、アース端子１９は、切替部４７を経由して補助接地点４に接続する。測定部２５は、第４抵抗３９の電圧を測定する。すなわち、接地点４３と補助接地点４５との間の電圧を測定する。
【００５０】
地絡故障が生じていない場合に、（ａ）切替部２１及び４７がオフのとき、（ｂ）切替部２１がオンで切替部４７がオフのとき、及び、（ｃ）切替部２１がオフで切替部４７がオンのときを示す。この場合、各太陽電池モジュール１４で発生した電力の電流は、（ａ）も（ｂ）も（ｃ）も、同様に、正極端子１５から供給され、接地点４３及び補助接地点４５を経由して負極端子１７を経て太陽電池ストリング１３に戻る。そのため、（ａ）で測定される第４抵抗３９の電圧Ｖ11と、（ｂ）で測定される第４抵抗３９の電圧Ｖ12と、（ｃ）で測定される第４抵抗３９の電圧Ｖ13とは、同じになる。
【００５１】
図９は、太陽電池モジュール１４1と１４2の間で地絡故障が生じた場合に、（ａ）切替部２１及び４７がオフの状態、（ｂ）切替部２１がオンで切替部４７がオフの状態、及び、（ｃ）切替部２１がオフで切替部４７がオンの状態を示す。（ａ）の場合には、各太陽電池モジュール１４で発生した電力の電流は、正極端子１５から供給され、接地点４３及び補助接地点４５を経由して負極端子１７を経て太陽電池ストリング１３に戻る。そのため、（ａ）で測定される第４抵抗３９の電圧Ｖ14は、図８のＶ11、Ｖ12及びＶ13と同じになる。（ｂ）の場合には、地絡故障によりループが生じ、太陽電池モジュール１４1で生じた電力による電流が、アース端子１９及び切替部２１を経て接地点４３に到達し、補助接地点４５及び負極端子１７を経て太陽電池ストリング１３に戻る。そのため、第４抵抗３９の電圧Ｖ15は、Ｖ14よりも小さい値となる。（ｃ）の場合には、地絡故障によりループが生じ、太陽電池モジュール１４1で生じた電力による電流が、アース端子１９及び切替部４７を経て補助接地点４５に到達し、負極端子１７を経て太陽電池ストリング１３に戻る。そのため、第４抵抗３９の電圧Ｖ16は、Ｖ14よりも大きい値となる。
【００５２】
図１０は、太陽電池モジュール１４3と１４4の間で地絡故障が生じた場合に、（ａ）切替部２１及び４７がオフの状態、（ｂ）切替部２１がオンで切替部４７がオフの状態、及び、（ｃ）切替部２１がオフで切替部４７がオンの状態を示す。（ａ）の場合には、各太陽電池モジュール１４で発生した電力の電流は、正極端子１５から供給され、接地点４３及び補助接地点４５を経由して負極端子１７を経て太陽電池ストリング１３に戻る。そのため、（ａ）で測定される第４抵抗３９の電圧Ｖ17は、図８のＶ11、Ｖ12及びＶ13並びに図９のＶ14と同じになる。（ｂ）の場合には、地絡故障によりループが生じ、太陽電池モジュール１４1、１４2及び１４3で生じた電力による電流が、アース端子１９及び切替部２１を経て接地点４３に到達し、補助接地点４５及び負極端子１７を経て太陽電池ストリング１３に戻る。そのため、第４抵抗３９の電圧Ｖ18は、Ｖ17よりも小さい値となる。（ｃ）の場合には、地絡故障によりループが生じ、太陽電池モジュール１４1、１４2及び１４3で生じた電力による電流が、アース端子１９及び切替部４７を経て補助接地点４５に到達し、負極端子１７を経て太陽電池ストリング１３に戻る。そのため、第４抵抗３９の電圧Ｖ19は、Ｖ17よりも大きい値となる。
【００５３】
図１１は、太陽電池モジュール１４2と１４3の間で地絡故障が生じた場合に、（ａ）切替部２１及び４７がオフの状態、（ｂ）切替部２１がオンで切替部４７がオフの状態、及び、（ｃ）切替部２１がオフで切替部４７がオンの状態を示す。（ａ）の場合には、各太陽電池モジュール１４で発生した電力の電流は、正極端子１５から供給され、接地点４３及び補助接地点４５を経由して負極端子１７を経て太陽電池ストリング１３に戻る。そのため、（ａ）で測定される第４抵抗３９の電圧Ｖ20は、図８のＶ11、Ｖ12及びＶ13、図９のＶ14並びに図１０のＶ17と同じになる。（ｂ）の場合には、地絡故障によりループが生じ、太陽電池モジュール１４1及び１４2で生じた電力による電流が、アース端子１９及び切替部２１を経て接地点４３に到達し、補助接地点４５及び負極端子１７を経て太陽電池ストリング１３に戻る。そのため、第４抵抗３９の電圧Ｖ21は、Ｖ20よりも小さい値となる。（ｃ）の場合には、地絡故障によりループが生じ、太陽電池モジュール１４1及び１４2で生じた電力による電流が、アース端子１９及び切替部４７を経て補助接地点４５に到達し、負極端子１７を経て太陽電池ストリング１３に戻る。そのため、第４抵抗３９の電圧Ｖ22は、Ｖ20よりも小さい値となる。
【００５４】
なお、本実施例では、切替部を用いて接地の有無を制御する例を示したが、電圧測定装置１１において、アース端子を接地点に接続しておき、電圧測定装置１１の操作者がアース端子を接地するか否かを行ってもよい。
【符号の説明】
【００５５】
１  太陽光発電システム、３  太陽電池アレイ、５  架台、７  ＰＣＳ、１１  電圧測定装置、１３  太陽電池ストリング、１４  太陽電池モジュール、１５  正極端子、１７  負極端子、１９  アース端子、２１  切替部、２３  制御部、２５  測定部、２７  地絡故障検出部、３１  第１抵抗、３３  第２抵抗、３５  接地点、３７  第３抵抗、３９  第４抵抗、４１  第５抵抗、４３  接地点、４５  補助接地点、４７  切替部
【図１】
2015203564.tif 000003
【図２】
2015203564.tif 000004
【図３】
2015203564.tif 000005
【図４】
2015203564.tif 000006
【図５】
2015203564.tif 000007
【図６】
2015203564.tif 000008
【図７】
2015203564.tif 000009
【図８】
2015203564.tif 000010
【図９】
2015203564.tif 000011
【図１０】
2015203564.tif 000012
【図１１】
2015203564.tif 000013